(57)【要約】【課題】タッチパネルを有する携帯端末機器にあって、入力の誤動作を簡易に防止するとともに利便性の高い携帯端末機器を提供する。【解決手段】ＣＰＵは、通話状態と判断された場合には、タッチパネルを無効状態に設定する（ステップＳ２）。ＣＰＵは、コネクタに外部出力デバイスが接続されているかを判断する（ステップＳ３）。外部出力デバイスがコネクタに接続されてると判断される場合には、タッチパネルを無効状態から有効状態に設定する（ステップＳ４）。ステップＳ６において、ハンズフリー機能が有効であると判断される場合には、タッチパネルを無効状態から有効状態に設定する（ステップＳ４）。ステップＳ７において、タッチパネル釦が有効であるかどうかを判断する（ステップＳ７）。タッチパネル釦が有効である場合には、タッチパネルを無効状態から有効状態に設定する（ステップＳ４）。【選択図】図３
2008141687.tif 000002
【特許請求の範囲】
【請求項１】
通話機能を有する携帯端末機器であって、
タッチパネルと操作キー釦とを使用した入力部と、
前記タッチパネルの認識率を調整する制御部と、
外部機器との接続が可能なコネクタとを備え、
前記操作キー釦は、通話機能を開始する通話釦と、利用者の入力に応答して前記タッチパネルを無効状態から有効状態に切り替えるためのタッチパネル釦を有し、
前記制御部は、利用者が前記通話釦を押下したことを検知した場合には、前記タッチパネルを無効状態に設定し、
前記制御部は、利用者が前記通話釦を押下したことを検知した場合に、前記コネクタと前記外部機器とが接続された場合、前記利用者の入力指示に応答してハンズフリー機能が実行された場合、あるいは前記利用者が前記タッチパネル釦を押下した場合には、前記タッチパネルの認識率を調整して無効状態から有効状態に設定する、携帯端末機器。
【請求項２】
通話機能を有する携帯端末機器であって、
タッチパネルと操作キー釦とを使用した入力部と、
前記タッチパネルの認識率を調整する制御部とを備え、
前記操作キー釦は、通話機能を開始する通話釦を有し、
前記制御部は、利用者が前記通話釦を押下したことを検知した場合には、前記タッチパネルを無効状態に設定する、携帯端末機器。
【請求項３】
外部機器との接続が可能なコネクタをさらに備え、
前記制御部は、利用者が前記通話釦を押下したことを検知した場合に、前記コネクタと前記外部機器とが接続された場合には、前記タッチパネルの認識率を調整して無効状態から有効状態に設定する、請求項２記載の携帯端末機器。
【請求項４】
前記制御部は、利用者が前記通話釦を押下したことを検知した場合に、前記利用者の入力指示に応答してハンズフリー機能が実行された場合には、前記タッチパネルの認識率を調整して無効状態から有効状態に設定する、請求項２記載の携帯端末機器。
【請求項５】
前記操作キー釦は、前記利用者の入力に応答して前記タッチパネルを無効状態から有効状態に切り替えるためのタッチパネル釦をさらに有し、
前記制御部は、利用者が前記通話釦を押下したことを検知した場合に、前記利用者が前記タッチパネル釦を押下した場合には、前記タッチパネルの認識率を調整して無効状態から有効状態に設定する、請求項２記載の携帯端末機器。
【発明の詳細な説明】
【技術分野】
【０００１】
本発明は、通話機能を有する携帯端末機器に関し、特に通話中にタッチパネルの誤押しによる誤動作を防止する機能を備えた携帯端末機器に関する。
【背景技術】
【０００２】
たとえば、携帯電話あるいはＰＤＡ（Ｐｅｒｓｏｎａｌ Ｄｉｇｉｔａｌ Ａｓｓｉｓｔａｎｔ）等に代表される携帯端末機器においては、相手との通話による通信機能とは別に、たとえばメール、インターネットブラウザ等の通信機能を備えることが一般的になっており、また、表示の見易さ等のため表示部である液晶画面が大型化する傾向にある。
【０００３】
さらには、近年、多くの機能、たとえば個人のスケジュール等を管理する機能、内蔵した辞書やマニュアルによりいつでも検索できる機能等々を内蔵する携帯端末機器にあっては、操作性改善のため、入力手段としていわゆるキー操作とは別にタッチパネルを備えた携帯端末機器が利用されている。
【０００４】
一方で、携帯端末機器においては、利用者の意図しないボタン入力で誤動作しないような仕組みも考えられている。
【０００５】
たとえば、特開２００２−１３５３６９号公報においては、センサとして用いられているタッチパネルへの接触がある際には、通話中であると判断して全てのキー操作を無効とする方式が示されている。
【０００６】
あるいは反対に、特開平１１−１６８５５３号公報においては、誤動作防止モードとしてキー操作を無効としている場合においても、通話状態を検出した場合には、誤動作防止モードを解除してキー操作を有効にする方式が示されている。また、別に特開平１１−０４１１６５号公報においては、タッチセンサに接触した場合には、誤動作防止モードを一時的に解除してキー操作を有効にする方式も示されており、種々の方式がある。
【０００７】
一般的に、たとえば、通話中に携帯端末機器として各種の機能を使用する場合、たとえば、登録してある電話番号等を呼び出し表示させて、これを確認した上で相手に知らせる時などがあり、通話中でも入力を行なう必要がある。
【特許文献１】特開２００２−１３５３６９号公報
【特許文献２】特開平１１−１６８５５３号公報
【特許文献３】特開平１１−０４１１６５号公報
【発明の開示】
【発明が解決しようとする課題】
【０００８】
しかしながら、たとえばタッチパネルを利用した携帯端末機器にあっては、利用者が話をする時には受話部に耳を接触または近づけるため、耳たぶや顔の一部あるいはピアスやイヤリングが、携帯端末機器の前面に設けられている大きなタッチパネルに接触して、これによりタッチパネルから入力操作がなされたとみなされ、通話中に予期しない携帯端末機器が働き、通話動作に意図しない動作を開始したり、時によってはデータを誤って削除するなどの誤動作を起こすおそれがあるという問題がある。
【０００９】
本発明は上記の点に鑑みてなされたものであって、タッチパネルを有する携帯端末機器にあって、入力の誤動作を簡易に防止するとともに利便性の高い携帯端末機器を提供することを目的とする。
【課題を解決するための手段】
【００１０】
本発明に係る携帯端末機器は、通話機能を有する携帯端末機器であって、タッチパネルと操作キー釦とを使用した入力部と、タッチパネルの認識率を調整する制御部と、外部機器との接続が可能なコネクタとを備える。操作キー釦は、通話機能を開始する通話釦と、利用者の入力に応答してタッチパネルを無効状態から有効状態に切り替えるためのタッチパネル釦を有する。制御部は、利用者が通話釦を押下したことを検知した場合には、タッチパネルを無効状態に設定する。制御部は、利用者が通話釦を押下したことを検知した場合に、コネクタと外部機器とが接続された場合、利用者の入力指示に応答してハンズフリー機能が実行された場合、あるいは利用者がタッチパネル釦を押下した場合には、タッチパネルの認識率を調整して無効状態から有効状態に設定する。
【００１１】
本発明に係る別の携帯端末機器は、通話機能を有する携帯端末機器であって、タッチパネルと操作キー釦とを使用した入力部と、タッチパネルの認識率を調整する制御部とを備える。操作キー釦は、通話機能を開始する通話釦を有する。制御部は、利用者が通話釦を押下したことを検知した場合には、タッチパネルを無効状態に設定する。
【００１２】
好ましくは、外部機器との接続が可能なコネクタをさらに備える。制御部は、利用者が通話釦を押下したことを検知した場合に、コネクタと外部機器とが接続された場合には、タッチパネルの認識率を調整して無効状態から有効状態に設定する。
【００１３】
好ましくは、制御部は、利用者が通話釦を押下したことを検知した場合に、利用者の入力指示に応答してハンズフリー機能が実行された場合には、タッチパネルの認識率を調整して無効状態から有効状態に設定する。
【００１４】
好ましくは、操作キー釦は、利用者の入力に応答してタッチパネルを無効状態から有効状態に切り替えるためのタッチパネル釦をさらに有する。制御部は、利用者が通話釦を押下したことを検知した場合に、利用者がタッチパネル釦を押下した場合には、タッチパネルの認識率を調整して無効状態から有効状態に設定する。
【発明の効果】
【００１５】
本発明に係る携帯端末機器は、制御部を備え、利用者が通話釦を押下したことを検知した場合には、タッチパネルを無効状態に設定することにより、原則的にタッチパネルは無効状態に設定される。したがって、タッチパネルを有する携帯端末機器にあって、入力の誤動作を簡易に防止することが可能である。
【発明を実施するための最良の形態】
【００１６】
以下、本発明の実施の形態について図面を参照しながら詳細に説明する。なお、図中同一または相当部分には同一符号を付し、その説明は繰返さない。
【００１７】
図１は、本発明の実施の形態に従う携帯端末機器１の外観構成図である。
図１を参照して、ここでは、携帯端末機器１のおもて側の構成が示されている。
【００１８】
具体的には、携帯端末機器１の筐体１０のおもて面に対して通話用スピーカ１１と、タッチパネル２０と、通話用マイク１５と、操作キーの一例として、発信釦１６と通話切断釦１７と、後述するタッチパネル釦１８と、コネクタ１９とが設けられている場合が示されている。なお、ここでは、３つの釦のみ示しているが特にこれに限られず、ダイヤルキー等の操作キーをさらに配置することも可能である。
【００１９】
通話用スピーカ１１は、相手との通話時において、携帯端末機器１の利用者の相手側から送信された音声信号を出力する。
【００２０】
タッチパネル２０は、指や専用のペンで画面に触れることにより、触れた位置を検知して画面上の位置を指定し、機器に含まれている種々の機能を選択する際の入力手段として用いられる技術であるが、一般的な技術であるので詳細な説明についてはここでは省略する。
【００２１】
通話用マイク１５は、相手との通話時において、携帯端末機器１の利用者の音声を相手側に送信するために音声信号として受信するものである。
【００２２】
発信釦１６は、相手との通話を開始する際において、利用者が相手側の電話番号等の情報を発信するための釦である。また、相手との通話を開始する際の通話開始釦としても用いられる。この発信釦１６が押下された場合に通話状態と判断されるものとする。また、後述するが通話状態において、当該発信釦１６をさらに押下することによりいわゆる携帯端末機器を利用者が手に持たなくても通話できる機能であるハンズフリー機能が実行されるものとする。なお、本例においては、発信釦１６とハンズフリー機能の実行とを関連付けた方式について説明するが、特にこれに限られず、ハンズフリー機能の実行を指示する専用の釦を設けたり、あるいは別の釦を用いることも当然に可能である。
【００２３】
通話切断釦１７は、相手との通話を終了するための釦であり、当該釦を押下することにより通信が切断されるものとする。
【００２４】
タッチパネル釦１８は、タッチパネル２０を利用者の入力に応答して無効状態あるいは有効状態に切り替えるためのボタンである。
【００２５】
コネクタ１９は、イヤホン等の外部機器を携帯端末機器と接続する部位である。
図２は、本発明の実施の形態に従う携帯端末機器１の概略ブロック構成図である。
【００２６】
図２を参照して、本発明の実施の形態に従う携帯端末機器１は、携帯端末機器１全体を制御するＣＰＵ１００と、タッチパネルあるいは操作キーの入力指示を受ける入力部１０５と、文字、記号、図形等を表示する表示部１１０と、音声を出力するためのスピーカ１１５と、携帯端末機器１の各種機能を実行するためのプログラムやデータ情報を記憶するメモリ１２０と、電話局等を介して通信するための通信部１４０と、電話局等からの電波を受信するためのアンテナ１４１と、外部機器と接続するための外部機器インターフェイス１２５とが設けられている。外部機器インターフェイス１２５は、コネクタ１９を含む。なお、表示部１１０は、タッチパネル２０で用いられる液晶画面等を含むものとする。なお、ＣＰＵ１００がタッチパネルの認識率を調整して、有効あるいは無効状態を制御するものとする。なお、無効状態は、タッチパネルの認識率を０とすることのみならず、認識率を初期状態よりも低くすることも含まれるものとする。これらの情報は必要に応じて予め格納されたメモリ１２０から読み出されるものとする。
【００２７】
以下、本発明の実施の形態においては、相手と通話している状態におけるタッチパネルの入力手段の誤動作等を防止する方式について説明する。
【００２８】
図３は、本発明の実施の形態に従うタッチパネルの状態を制御するフロー図である。
図３を参照して、まず、ＣＰＵ１００は、入力部１０５からの入力を受けて（ステップＳ０）、通話状態であるかどうかを判断する（ステップＳ１）。具体的には、上述した発信釦１６が利用者によって押下されたかどうかを判断する。
【００２９】
そして、ＣＰＵ１００は、通話状態と判断された場合には、タッチパネルを無効状態に設定する（ステップＳ２）。
【００３０】
そして、次に、ＣＰＵ１００は、コネクタに外部出力デバイスが接続されているかどうかを判断する（ステップＳ３）。なお、外部出力デバイスとしては、イヤホン等を挙げることができるが、特にこれに限られずスピーカ等であってもよい。なお、コネクタにイヤホン等が接続されることにより外部機器インターフェイス１２５は、ＣＰＵ１００にコネクタにイヤホン等が接続されたことを示す信号を出力するものとする。
【００３１】
ステップＳ３において、外部出力デバイスがコネクタに接続されてると判断される場合には、タッチパネルを無効状態から有効状態に設定する（ステップＳ４）。
【００３２】
そして、ステップＳ５に進み、通話状態が切断されたかどうかを判断して、切断されていない場合には、再びステップＳ３に戻る。
【００３３】
一方、ステップＳ３において、外部出力デバイスがコネクタに接続されていないと判断される場合には、次に、ステップＳ６に進み、ハンズフリー機能が有効であるかどうかを判断する。上述したように通話状態において、また、発信釦１６をさらに押下する入力があったかどうかを判断する。通話状態となる際に発信釦１６が押下され、そして、さらに再び押下された場合には、ハンズフリー機能になるものとする。そして、ハンズフリー機能の状態の際に、さらに、発信釦１６の入力があった場合には、ハンズフリー機能は解除されるものとする。
【００３４】
ステップＳ６において、ハンズフリー機能が有効であると判断される場合には、タッチパネルを無効状態から有効状態に設定する（ステップＳ４）。後の処理については、上記と同様である。
【００３５】
ステップＳ６において、ハンズフリー機能が有効でないと判断される場合には、次に、タッチパネル釦が有効であるかどうかを判断する（ステップＳ７）。なお、初期状態においては、タッチパネル釦は無効状態であり、タッチパネル釦を押下する入力により、タッチパネルは、有効状態に切り替わるものとする。そして、再度タッチパネル釦を押下する入力により、タッチパネルは、無効状態に切り替わるものとする。
【００３６】
ステップＳ７において、タッチパネル釦１８が通話状態において押下された場合には、タッチパネルを無効状態から有効状態に設定する（ステップＳ４）。後の処理については、上記と同様である。
【００３７】
ステップＳ７において、タッチパネル釦が無効状態である場合には、タッチパネルを無効状態に設定する（ステップＳ８）。そして、ステップＳ５に進む。
【００３８】
ステップＳ５において、通話状態が切断されたと判断された場合には、タッチパネルを有効状態に設定し（ステップＳ９）、終了する（ステップＳ１０）。すなわち、携帯端末機において、待ち受け状態となる。
【００３９】
上記で説明した本発明の実施の形態に従うタッチパネルは、通話状態においては、原則的に無効状態に設定される。したがって、タッチパネルを有する携帯端末機器にあって、入力の誤動作を簡易に防止することが可能である。また、たとえば、コネクタにイヤホン等の外部出力デバイスが接続されたような場合、あるいは、ハンズフリー機能が働いている場合、あるいは、ユーザの意思によってタッチパネル釦が有効になっている場合には、タッチパネルは無効状態から有効状態に設定される。
【００４０】
一般的に、コネクタにイヤホン等の外部出力デバイスが接続されているような場合、あるいは、ハンズフリー機能が働いている場合には、利用者は、携帯端末機器を顔に接近させていない可能性が高い。すなわち、携帯端末機器のタッチパネルに対して誤操作を生じさせる可能性は低いと推定される。
【００４１】
したがって、本実施の形態においては、利用者が顔を携帯端末機器に接近させていない可能性が高いと判断される状況、具体的にはコネクタにイヤホン等の外部出力デバイスが接続されているような場合、あるいは、ハンズフリー機能が働いている場合等には、タッチパネルを有効状態に設定して、通話中にタッチパネルを利用可能としている。また、利用者がタッチパネル釦を有効にして、自己の意思に基づいてタッチパネルの利用を望む場合には、利用者の意思を優先させて通話中にタッチパネルを利用可能とすることにより、利便性の高い携帯端末機器を実現している。
【００４２】
なお、通話中の操作キーに関しては、全ての操作キーを有効状態とすることも可能であるが、必要に応じて一部分の操作キーのみ有効状態とすることにより、入力の誤動作をさらに防止することも可能である。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態に従う携帯端末機器１の外観構成図である。
【図２】本発明の実施の形態に従う携帯端末機器１の概略ブロック構成図である。
【図３】本発明の実施の形態に従うタッチパネルの状態を制御するフロー図である。
【符号の説明】
【００４５】
１  携帯端末機器、１０  筐体、１１  通話用スピーカ、１５  通話用マイク、１６  発信釦、１７  通話切断釦、１８  タッチパネル釦、２０  タッチパネル、１００  ＣＰＵ、１０５  入力部、１１０  表示部、１１５  スピーカ、１２０  メモリ、１２５  外部機器インターフェイス、１４０  通信部、１４１  アンテナ。
【図１】
2008141687.tif 000003
【図２】
2008141687.tif 000004
【図３】
2008141687.tif 000005